(57)【要約】【課題】多機能を有する患者の自力排便介護ベッドを提供する。【解決手段】ベッド本体１０と、床板部材２０と、第一支持機構３０Ａと、第二支持機構３０Ｂと、排便装置４０と、洗浄機構５０と、尿飛散防止装置６０と、遮蔽装置７０と、上述の装置に電気的に接続され、起動或いは停止の制御に使用される制御装置９０とを備える。患者が排尿及び排便をするさいに、制御装置９０により第一支持機構３０Ａまたは第二支持機構３０Ｂが起動され、床板部材２０が上に変移され、同時に遮蔽装置７０が起立されて開かれ、床板部材２０が下降されて原位置まで戻され、同時に遮蔽装置７０が圧迫されて沈下され、尿飛散防止装置６０の放尿遮蔽カバー６２が起立され、供患者に使用される状態になる。【選択図】図３
2017144032.tif 000002
【特許請求の範囲】
【請求項１】
フットボードと、ヘッドボードと、前記フットボード及び前記ヘッドボードの間に連結される複数のメインフレームとで構成されるベッド本体と、
前記ベッド本体の上に設置されると共に前記フットボード及び前記ヘッドボードの間に位置し、第一板体及び第二板体を少なくとも含むと共に前記第一板体及び前記第二板体の隣接端は回転可能な枢接端であり、前記第一板体及び前記第二板体は互いに角度の調整を行う床板部材と、
前記第一板体の下方に設置され、前記第一板体の支持に用いられ、且つ前記第一板体の上昇或いは下降の高度の調整を行う第一支持機構と、
前記第二板体の下方に設置され、前記第二板体の支持に用いられ、且つそれの昇降により前記第二板体が前記枢接端により前記第一板体に対する仰角の調整を行う第二支持機構と、を備える患者の自力排便を可能にする多機能介護ベッドであって、
前記第一板体の前記第二板体に近接する一方の側は、人体の臀部に対する位置において、第一穴部と、排便装置と、洗浄機構と、尿飛散防止装置と、遮蔽装置と、２つの駆動キットと、制御装置と、が設置されており、
前記排便装置は、前記第一穴部の下方に対して設置され、排泄物受け皿と、前記排泄物受け皿の上面周縁に設置されるクッションと、前記排泄物受け皿の下方に分離可能に設置され、前記排泄物受け皿から落下した排泄物を受け取る容器とを含み、
前記洗浄機構は、第一パイプを含み、前記第一パイプの何れかの一端は前記排便装置に連結され、他端は第一ポンプに連結され、前記第一ポンプは抽出管を有し、タンク内部の水の抽出を行い、前記第一パイプを経て前記排便装置により洗い流すために使用され、
前記尿飛散防止装置は、前記排便装置の前側に設置され、ガイド溝と、前記ガイド溝で起立或いは沈下を行うと共に裏面にはラックが設置される放尿遮蔽カバーと、前記ガイド溝の側辺に設置されて歯車を連動させるために用いられ、且つ前記歯車は前記ラックに相互に噛合され、前記放尿遮蔽カバーを駆動させて前記ガイド溝から起立或いは沈下させて隠す第一モーターとを備え、
前記遮蔽装置は、前記排便装置と前記第一板体との間に設置され、前記クッションの上方に位置すると共に２枚の左側板及び右側板が合わさることで構成される蓋を含み、２本の前端スライドバー及び後端スライドバーは平行状を呈して前記蓋の前側及び後側に架設され、且つ前記蓋の前端及び後端にはキットがそれぞれ設置されて２本の前記前端スライドバー及び後端スライドバーに連結され、前記左側板及び前記右側板は前記前端スライドバー及び前記後端スライドバーの間を滑動し、互いに接近或いは離間し、前記前端スライドバー及び前記後端スライドバーの両側には直立のガイド棒がそれぞれ連結され、前記ガイド棒にはばねが覆設され、前記ガイド棒の底端は前記ベッド本体の前記メインフレームを穿通し、前記遮蔽装置が前記洗浄機構の上方で弾性による昇降状態を呈し、前記床板部材の下降時には前記遮蔽装置が圧迫され、前記遮蔽装置が沈下し、前記蓋が前記第一板体の第一穴部内に位置し、
２つの前記駆動キットは、左右対称となるよう前記前端スライドバー及び前記後端スライドバーの内の一方の側に設置され、第一スクリュー及び第二スクリューを連動させ回転させる第二モーター及び第三モーターを備え、前記第一スクリュー及び前記第二スクリューにはナットがそれぞれ覆設され、前記第一スクリュー及び第二ナットは前記左側板及び前記右側板のキットにそれぞれ連結され、前記第二モーター及び前記第三モーターにより前記第一スクリュー及び前記第二スクリューが駆動され回転を行うと、前記左側板及び前記右側板が連動し同調で互いに接近或いは離間し、
前記制御装置は、前記第一支持機構、第二支持機構、前記第一ポンプ、前記第一モーター、前記第二モーター、及び前記第三モーターにそれぞれ電気的に接続され、起動或いは停止の制御に使用され、
患者が排尿及び排便をするさいに、前記制御装置により前記第一支持機構及び前記第二支持機構が起動され、前記床板部材上で移動され、同時に前記遮蔽装置が起立され、続いて、前記蓋が開かれた後、前記床板部材が下降されて原位置に戻され、同時に前記遮蔽装置が圧迫されて沈下され、最後に前記排便装置の前記クッションが前記第一穴部の下方に位置し、前記尿飛散防止装置の前記放尿遮蔽カバーが起立され、患者に使用される状態になることを特徴とする患者の自力排便を可能にする多機能介護ベッド。
【請求項２】
前記床板部材は、複数の通気孔が設けられており、表面に敷き布団が敷設されており、前記敷き布団に前記第一板体の前記第一穴部に対する第二穴部が設けられており、前記床板部材の底部に１つ以上のファンが設置されており、
前記ファンは、空気を前記通気孔に送り、空気を前記敷き布団内に導入させ、
前記敷き布団は通気性材質で構成されていることを特徴とする、請求項１に記載の患者の自力排便を可能にする多機能介護ベッド。
【請求項３】
前記第一支持機構は、前記第一板体の底端の両側に対称となるよう設置されている２つのＸ型の昇降棒セットを備え、
前記昇降棒セットは、第一棒体及び第二棒体が交差して枢接されている構成を有し、
前記第一棒体は、上端が前記第一板体に枢接されており、下端が前記ベッド本体の前記メインフレームに枢接されており、
前記第二棒体は、上端が前記第一板体に枢接されており、下端が第一横棒に連結されており、
前記第一横棒は、中間に第一縦方向ナット及び第三スクリューが連結されており、一端に前記第一縦方向ナットが覆設されており、他端が第四モーターと連動可能であり、
前記第三スクリューが駆動され回転し、前記第一横棒が連動し縦方向に変移することで、前記昇降棒セットが制御され折り畳まれると前記第一板体が高くなり、前記昇降棒セットが制御され展開されると前記第一板体が下降することを特徴とする、請求項１に記載の患者の自力排便を可能にする多機能介護ベッド。
【請求項４】
前記第二支持機構は、前記第二板体の底端の両側に、対称となるよう設置されている２本の支持棒を有し、前記支持棒の上端が前記第二板体に枢接されており、前記支持棒の下端が第二横棒に連結されており、
前記第二横棒は、中間に、第二縦方向ナット及び第四スクリューが連結されており、一端に前記第二縦方向ナットが覆設されており、他端が第五モーターと連動可能であり、
前記第四スクリューが駆動され回転し、前記第二横棒が連動し縦方向に変移することで、２本の前記支持棒が制御され持ち上げられる或いは下に降ろされ、前記第二板体の仰角が調整されることを特徴とする、請求項１に記載の患者の自力排便を可能にする多機能介護ベッド。
【請求項５】
前記排便装置は、前記排泄物受け皿の中間位置が縮径部となり、前記縮径部に板体を有するシーソー体が設置されており、前記板体の後端にピボット軸が設置されていると共におもりに連結されており、前記ピボット軸が前記縮径部の後端に枢設されており、
前記おもりにより前記板体が前記縮径部を封鎖し、前記板体の上方に排泄物がある場合、前記シーソー体が偏回転され傾斜し、排泄物が前記縮径部から前記容器に落下することを特徴とする、請求項１に記載の患者の自力排便を可能にする多機能介護ベッド。
【請求項６】
前記洗浄機構は、第二パイプ、および、送風管がさらに設置されており、
前記第二パイプは、一端が前記排便装置に連結されており、他端が第二ポンプに連結されており、
前記第二ポンプは、第二抽出管を有し、
前記第二抽出管は、前記タンク内部の水を抽出するのに用いられ、前記第二パイプを経て前記排便装置まで抽出し、使用者の臀部の洗浄を行い、
前記送風管は、一端が前記排便装置に連結されており、他端がドライヤーに連結されており、使用者の臀部の乾燥に使用されることを特徴とする、請求項１に記載の患者の自力排便を可能にする多機能介護ベッド。
【請求項７】
前記ベッド本体の前記メインフレームに装設されるヒーターをさらに備え、
前記ヒーターは、第三パイプ及びシャワーヘッドに連結されている機器本体を含み、
前記第三パイプは第三ポンプに連結されており、
前記第三ポンプは、第三抽出管を有し、前記タンク内部の水の抽出に用いられ、前記機器本体により加熱された後、前記シャワーヘッドから洗浄水が送出されることを特徴とする、請求項１に記載の患者の自力排便を可能にする多機能介護ベッド。
【請求項８】
前記床板部材の上に設置されている浴槽をさらに備え、
前記浴槽は、前記敷き布団の前記第一穴部、及び、前記第一板体の第二穴部に対する第三穴部が設けられていることを特徴とする、請求項２に記載の患者の自力排便を可能にする多機能介護ベッド。
【請求項９】
前記ベッド本体に架設されているシャワーフレームをさらに備え、
前記シャワーフレームは、シャワーカーテンが吊設されており、中間に、一時的なハンモックが装設されていることを特徴とする、請求項８に記載の患者の自力排便を可能にする多機能介護ベッド。
【請求項１０】
前記床板部材の前記第二板体に装設されていると共に、角度調整が可能なＵ字フレームをさらに備え、前記Ｕ字フレームにスクリーンが設置されていることを特徴とする、請求項２に記載の患者の自力排便を可能にする多機能介護ベッド。
【発明の詳細な説明】
【技術分野】
【０００１】
本発明は、患者が病床で直接排便動作を行えるようにする患者の自力排便を可能にする多機能介護ベッドに関する。
【背景技術】
【０００２】
台湾の人口が高齢化するにつれ、高齢者の疾病も増加している。身体の不自由な人、中風や脳の病気を患っている人、中枢神経が損傷している人、身体に麻痺がある人、或いは長期間病床に臥せっている人等は、運動能力が欠落しているため、介護ベッドに長期間寝ている必要があるが、患者の移動には家族の助けが必要で、看護においては補助に労力を要し、家族や看護する人間及び患者にとっても不便であった。また、患者が家族或いは看護者に補助されて排泄物の処理や身体を洗うことは、患者にとっては自分の尊厳が失われ、極めて大きな心理的負担を強いた。
【発明の概要】
【発明が解決しようとする課題】
【０００３】
しかしながら、前述した従来の介護ベッドでは、その装置或いは構造は患者が病床で簡単且つ便利に直接排便を行える設計にはなっていない。一般的には、病床の傍に便器を準備し、排尿時には患者が便器を使用して排尿を行い、排便ではトイレに行って行わねばならず、患者及び介護者にとって極めで不便であるといった問題があった。
【０００４】
そこで、本発明者は上記の欠点が改善可能と考え、鋭意検討を重ねた結果、合理的かつ効果的に上記目的を達成できる課題ことを見出した。
【０００５】
本発明は、以上の従来技術の課題を解決する為になされたものである。また、本発明の目的は、患者の自力排便を可能にする多機能介護ベッドを提供する。即ち、患者が病床で直接排便動作を行え、トイレまで行って排便を行う必要がなくなり、患者の負担が減り、患者の排便の利便性を向上させ、人の助けが無くとも患者が自分で排便を行えるようになる効果を達成させる。
【０００６】
なお、本発明の他の目的は、患者の自力排便を可能にする多機能介護ベッドを提供し、高齢者、麻痺がある人、中風或いは植物人間等の患者が病床で洗浄を行え、介護者或いは清掃作業員の清掃が便利になる効果をさらに達成させる。
【課題を解決するための手段】
【０００７】
上述した課題を解決し、目的を達成するために、本発明に係る患者の自力排便を可能にする多機能介護ベッドは、ベッド本体と、床板部材と、第一支持機構と、第二支持機構と、を備える患者の自力排便を可能にする多機能介護ベッドである。
ベッド本体は、フットボードと、ヘッドボードと、フットボード及びヘッドボードの間に連結される複数のメインフレームとで構成される。
床板部材は、ベッド本体の上に設置されると共にフットボード及びヘッドボードの間に位置し、第一板体及び第二板体を少なくとも含むと共に第一板体及び第二板体の隣接端は回転可能な枢接端であり、第一板体及び第二板体は互いに角度の調整を行う。
第一支持機構は、第一板体の下方に設置され、第一板体の支持に用いられ、且つ第一板体の上昇或いは下降の高度の調整を行う。
第二支持機構は、第二板体の下方に設置され、第二板体の支持に用いられ、且つそれの昇降により第二板体が枢接端により第一板体に対する仰角の調整を行う。
第一板体の第二板体に近接する一方の側は、人体の臀部に対する位置において、第一穴部と、排便装置と、洗浄機構と、尿飛散防止装置と、遮蔽装置と、２つの駆動キットと、制御装置と、が設置されている。
排便装置は、第一穴部の下方に対して設置され、排泄物受け皿と、排泄物受け皿の上面周縁に設置されるクッションと、排泄物受け皿の下方に分離可能に設置され、排泄物受け皿から落下した排泄物を受け取る容器とを含む。
洗浄機構は、第一パイプを含み、第一パイプの何れかの一端は排便装置に連結され、他端は第一ポンプに連結され、第一ポンプは抽出管を有し、タンク内部の水の抽出を行い、第一パイプを経て排便装置により洗い流すために使用される。
尿飛散防止装置は、排便装置の前側に設置され、ガイド溝と、ガイド溝で起立或いは沈下を行うと共に裏面にはラックが設置される放尿遮蔽カバーと、ガイド溝の側辺に設置されて歯車を連動させるために用いられ、且つ歯車はラックに相互に噛合され、放尿遮蔽カバーを駆動させてガイド溝から起立或いは沈下させて隠す第一モーターとを備える。
遮蔽装置は、排便装置と第一板体との間に設置され、クッションの上方に位置すると共に２枚の左側板及び右側板が合わさることで構成される蓋を含み、２本の前端スライドバー及び後端スライドバーは平行状を呈して蓋の前側及び後側に架設され、且つ蓋の前端及び後端にはキットがそれぞれ設置されて２本の前端スライドバー及び後端スライドバーに連結され、左側板及び右側板は前端スライドバー及び後端スライドバーの間を滑動し、互いに接近或いは離間し、前端スライドバー及び後端スライドバーの両側には直立のガイド棒がそれぞれ連結され、ガイド棒にはばねが覆設され、ガイド棒の底端はベッド本体のメインフレームを穿通し、遮蔽装置が洗浄機構の上方で弾性による昇降状態を呈し、床板部材の下降時には遮蔽装置が圧迫され、遮蔽装置が沈下し、蓋が第一板体の第一穴部内に位置する。
２つの駆動キットは、左右対称となるよう前端スライドバー及び後端スライドバーの内の一方の側に設置され、第一スクリュー及び第二スクリューを連動させ回転させる第二モーター及び第三モーターを備え、第一スクリュー及び第二スクリューにはナットがそれぞれ覆設され、第一スクリュー及び第二ナットは左側板及び右側板のキットにそれぞれ連結され、第二モーター及び第三モーターにより第一スクリュー及び第二スクリューが駆動され回転を行うと、左側板及び右側板が連動し同調で互いに接近或いは離間する。
制御装置は、第一支持機構、第二支持機構、第一ポンプ、第一モーター、第二モーター、及び第三モーターにそれぞれ電気的に接続され、起動或いは停止の制御に使用される。
患者が排尿及び排便をするさいに、制御装置により第一支持機構及び第二支持機構が起動され、床板部材上で移動され、同時に遮蔽装置が起立され、続いて、蓋が開かれた後、床板部材が下降されて原位置に戻され、同時に遮蔽装置が圧迫されて沈下され、最後に排便装置のクッションが第一穴部の下方に位置し、尿飛散防止装置の放尿遮蔽カバーが起立され、患者に使用される状態になる。
【０００８】
本発明によれば、長期間病床に臥せっている患者や中風の患者に対して設計されており、患者の尊厳を守りながら身体の洗浄を便利にし、人の助けが無くとも患者が自力で排泄を行えるようになる効果を有する。また、家族にとっても、患者を移動させて身体の洗浄を行うのが簡単になり、患者の環境及び衛生状態が向上する。
【図面の簡単な説明】
【０００９】
【図１】本発明の一実施形態による患者の自力排便を可能にする多機能介護ベッドを示す斜視図である。
【図１Ａ】本発明の一実施形態による患者の自力排便を可能にする多機能介護ベッドを示す分解図である。
【図２】本発明の一実施形態による患者の自力排便を可能にする多機能介護ベッドを示す側面図である。
【図３】本発明の一実施形態による患者の自力排便を可能にする多機能介護ベッドの主な構成を示す傾斜図である。
【図３Ａ】図３に示すヒーターの一実施形態を示す斜視図である。
【図４】本発明の一実施形態による患者の自力排便を可能にする多機能介護ベッドの主な構成を示す傾斜図である。
【図５】本発明の一実施形態による患者の自力排便を可能にする多機能介護ベッドを示す平面図である。
【図６】図５に示す６―６を示す断面図である。
【図７】本発明の一実施形態による患者の自力排便を可能にする多機能介護ベッドの敷き布団及び床板部材が上昇した状態を示す側面図である。
【図８】図７に示す８―８を示す断面図である。
【図９】本発明の一実施形態の一部構成であり、排便装置が開かれた状態を示す模式図である。
【図１０】本発明の一実施形態の排便装置が開かれた状態を示す傾斜図である。
【図１１】本発明の一実施形態の排便装置を示す傾斜図である。
【図１１Ａ】本発明の一実施形態の排便装置のシーソー体を示す傾斜図である。
【図１２】本発明の一実施形態の便器の前側が下降された状態を示す側面図である。
【図１３】本発明の一実施形態の便器の前側が上昇された状態を示す側面図である。
【図１４】本発明の他の一実施形態による患者の自力排便を可能にする多機能介護ベッドの分解状態を示す図である。
【図１５】本発明の他の一実施形態による患者の自力排便を可能にする多機能介護ベッドの組立状態を示す図である。
【図１６Ａ】本発明の他の一実施形態による患者の自力排便を可能にする多機能介護ベッドを示す斜視図である。
【図１６Ｂ】本発明の他の一実施形態による患者の自力排便を可能にする多機能介護ベッドの使用状態を示す図である。
【図１７Ａ】本発明の他の一実施形態による患者の自力排便を可能にする多機能介護ベッドを示す平面図である。
【図１７Ｂ】本発明の他の一実施形態による患者の自力排便を可能にする多機能介護ベッドを示す側面図である。
【発明を実施するための形態】
【００１０】
本発明における一実施形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００１１】
以下、本発明の実施形態を図１〜１３に基づいて説明する。本発明に係る患者の自力排便を可能にする多機能介護ベッドは、フットボード１１、ヘッドボード１２、及びフットボードとヘッドボードとの間に連結される複数のメインフレーム１３で構成されるベッド本体１０を備え、メインフレーム１３は横向き及び縦向きを含む。
【００１２】
本実施形態における床板部材２０は、ベッド本体１０の上に設置されると共にフットボード１１とヘッドボード１２との間に位置する。床板部材２０は第一板体２１及び第二板体２２を少なくとも備え、且つ第一板体２１及び第二板体２２の隣接端は回転可能な枢接端２３であり、第一板体２１及び第二板体２２は互いに角度が調整される。本実施形態によると、床板部材２０には複数の通気孔２４が設けられ、且つ通気孔２４の表面には敷き布団２５が敷設される。また、床板部材２０の底部には１つ以上のファン２６がさらに設置され、ファン２６により空気が通気孔２４に送風された後、敷き布団２５内に導入される。これにより、患者がベッドに寝ているさいに、身体が熱くなり過ぎないようにする。
【００１３】
本実施形態における第一支持機構３０Ａは第一板体２１の下方に設置されて第一板体２１の支持に用いられ、且つ第一支持機構３０Ａにより第一板体２１の上昇或いは下降の高度の調整を行う。本実施形態では、第一支持機構３０Ａは、第一板体２１の底端の両側に対称状に設置される２つのＸ型の昇降棒セット３１を備え、昇降棒セット３１は第一棒体３１１及び第二棒体３１２が交差して枢接されることで構成される。第一棒体３１１の上端は第一板体２１に枢接され、下端はベッド本体１０のメインフレーム１３に枢接され、第二棒体３１２の上端は第一板体２１に枢接され、下端は第一横棒３２に連結され、第一横棒３２の中間には第一縦方向ナット３３及び第三スクリュー３４が連結され、その一端には第一縦方向ナット３３が覆設され、他端は第四モーター３５により連動されることで、第三スクリュー３４が駆動されて回転され、第一横棒３２がさらに連動されて縦方向に変移され、これにより昇降棒セット３１が制御されて折り畳まれて第一板体２１が高くなり、或いは展開されて第一板体２１が下降される。
【００１４】
また、本実施形態における第二支持機構３０Ｂは、第二板体２２の下方に設置されて第二板体２２の支持に用いられ、且つ第二支持機構３０Ｂの昇降により第二板体２２が枢接端２３により第一板体２１に対する仰角の調整を行う。本実施形態では、第二支持機構３０Ｂは、第二板体２２の底端の両側に対称状に設置される２本の支持棒３６を備え、支持棒３６の上端は第二板体２２に枢接され、下端は第二横棒３７に連結され、第二横棒３７の中間には第二縦方向ナット３８及び第四スクリュー３９が連結され、その一端には第二縦方向ナット３８が覆設され、他端は第五モーター３９１により連動されることで、第四スクリュー３９が駆動されて回転され、第二横棒３７がさらに連動されて縦方向に変移され、これにより２本の支持棒３６が制御されて持ち上げられるか下に降ろされ、第二板体２２の仰角の調整を達成させる。
【００１５】
さらに、本発明の重要な特徴は、第一板体２１の第二板体２２に近接される一方の側に、人体の臀部の位置に対して、第一穴部２１１及び第一穴部２１１の下方に対して設置される排便装置４０が設置され、排便装置４０は、排泄物受け皿４１と、排泄物受け皿４１の上面の周縁に設置されるクッション４２と、排泄物受け皿４１の下方に分離可能に設置され、排泄物受け皿４１から落下した排泄物（Ｅ）を受け取る容器４５とを備える。本実施形態では、排便装置４０の排泄物受け皿４１は中間位置が縮径部４３となり、且つ縮径部４３の下方にはシーソー体４４が設置される。図１１Ａに示すように、シーソー体４４は板体４４１を含み、板体４４１の後端にはピボット軸４４２が設置され、且つおもり４４３に連結され、ピボット軸４４２は縮径部４３の後端に枢設される。常態では、おもり４４３により板体４４１が縮径部４３を封鎖させ、板体４４１の上方に泄物（Ｅ）がある場合、シーソー体が偏回転されて傾斜されるように改変され、これにより排泄物（Ｅ）が縮径部４３から容器４５に落下する。
【００１６】
なお、本実施形態における洗浄機構５０は、第一パイプ５１を備え、第一パイプ５１の何れかの一端は排便装置４０に連結され、他端は第一ポンプ５２に連結され、第一ポンプ５２は抽出管５３を有し、タンク５４内部の水の抽出に用いられ、第一パイプ５１を経て排便裝置４０まで抽出されて洗い流すために使用される。本実施形態では、洗浄機構５０には第二パイプ５５がさらに設置され、第二パイプ５５の何れかの一端は排便装置４０に連結され、他端は第二ポンプ５６に連結される。第二ポンプ５６は抽出管５７を有し、タンク５４内部の水の抽出に用いられ、第二パイプ５５を経て排便装置４０まで抽出されて使用者の臀部の洗浄に使用される。また、洗浄機構５０には送風管５８がさらに設置され、送風管５８の何れかの一端は排便装置４０に連結され、他端はドライヤー５９に連結され、使用者の臀部の乾燥に使用される。
【００１７】
本実施形態における尿飛散防止装置６０は、排便装置４０の前側に設置され、ガイド溝６１と、ガイド溝６１で起立或いは沈下を行うと共に裏面にラック６３が設置される放尿遮蔽カバー６２と、ガイド溝６１の側辺に設置され、その伝動軸により歯車６５が連動され、歯車６５及びラック６３が相互に噛合され、放尿遮蔽カバー６２が駆動されてガイド溝６１から起立或いは沈下されて隠される第一モーター６４とを備える。
【００１８】
本実施形態における遮蔽装置７０は、排便装置４０と第一板体２１との間に設置され、クッション４２の上方に位置すると共に２枚の左側板７１Ｌ及び右側板７１Ｒが合わさることで構成される蓋７１を備える。２本の前端スライドバー７２及び後端スライドバー７３は平行状を呈して蓋７１の前側及び後側に架設され、且つ蓋７１の前端及び後端にはキット７１１がそれぞれ設置されると共に２本の前端スライドバー７２及び後端スライドバー７３に連結され、２枚の左側板７１Ｌ及び右側板７１Ｒは２本の前端スライドバー７２及び後端スライドバー７３の間を滑動させ、互いに向かい合って移動することで接近する或いは互いに反対方向に向いて移動することで離間する。また、２本の前端スライドバー７２及び後端スライドバー７３の両側には直立のガイド棒７４がそれぞれ連結され、ガイド棒７４にはばね７５が覆設され、且つ底端はベッド本体１０のメインフレーム１３から穿通され、遮蔽装置７０が洗浄機構５０の上方で弾性により昇降される状態になる。また、床板部材２０が下降すると、遮蔽装置７０が圧迫されて沈下されることで、蓋７１が第一板体２１の第一穴部２１１内に位置する。本実施形態によれば、２枚の左側板７１Ｌ及び右側板７１Ｒの表面には凹部７１２が設けられ、おむつ（図示せず）が設置される。
【００１９】
本実施形態の２つの駆動キット８０は２本の前端スライドバー７２及び後端スライドバー７３の内の何れか一方の側に左右対称に設置され、第二モーター８１及び第三モーター８２を備え、第一スクリュー８１１及び第二スクリュー８２１が連動されて回転される。第一スクリュー８１１及び第二スクリュー８２１には第一ナット８１２及び第二ナット８２２がそれぞれ覆設され、且つ第一ナット８１２及び第二ナット８２２が２枚の左側板７１Ｌ及び右側板７１Ｒのキット７１１にそれぞれ連結される。第二モーター８１及び第三モーター８２により第一スクリュー８１１及び第二スクリュー８２１が駆動されて回転されると、２枚の左側板７１Ｌ及び右側板７１Ｒが連動されて同調して互いに向かい合って移動することで接近する、或いは、互いに反対方向に向いて移動することで離間する。
【００２０】
最後に、本実施形態における制御装置９０は、表面に操作インターフェースが設置され、内部に制御回路を有し、第一支持機構３０Ａ、第二支持機構３０Ｂ、第一ポンプ５２、第一モーター６４、第二モーター８１、及び第三モーター８２にそれぞれ電気的に接続され、その起動或いは停止の制御に使用される。なお、本実施形態において、制御装置９０はベッド本体１０のメインフレーム１３の所定の箇所に設置される（図２及び図３参照）。制御装置９０の表面には操作インターフェースが設置され、内部には制御回路を有するが、これはこの分野の技術に習熟する者ならば容易に達成できるため、詳述はしない。
【００２１】
上述した図２、図３及び図３Ａに示すように、本実施形態では、ベッド本体１０のメインフレーム１３に装設されるヒーター１００を備え、ヒーター１００は第三パイプ１０２及びシャワーヘッド１０５に連結される機器本体１０１を含む。第三パイプ１０２の他端は第三ポンプ１０３に連結され、第三ポンプ１０３は第三抽出管１０４を有し、タンク５４内部の水の抽出に用いられ、機器本体１０１により加熱された後に、シャワーヘッド１０５から洗浄水が送出される。
【００２２】
図１４及び図１５は本発明の他の一実施形態による患者の自力排便を可能にする多機能介護ベッドの展開図、組立図をそれぞれ示す。床板部材２０の上に設置される浴槽１１０をさらに備え、浴槽１１０には敷き布団２５の第一穴部２１１及び第一板体２１の第二穴部２５１に対する第三穴部１１１が設けられる。本実施形態では、浴槽１１０は防水性の可撓性材質で構成され、患者の身体を洗うために使用される。これにより、本発明は排便装置４０が排水機能を有するため、浴槽１１０が設置可能になる。
【００２３】
図１６Ａ及び図１６Ｂは本発明の他の一実施形態による患者の自力排便を可能にする多機能介護ベッドを示す概略図である。ベッド本体１０に架設されるシャワーフレーム１２０をさらに備え、シャワーフレーム１２０にはシャワーカーテン１２１が吊設され、洗浄のために使用される。また、図１６Ａに示すように、浴槽１１０を設置させる場合、シャワーフレーム１２０の中間位置に一時的なハンモック１３０が装設され、患者を抱き起してハンモック１３０に載せ、浴槽１１０に入れた後に浴槽１１０で患者の身体を洗う。
【００２４】
また、図１７Ａ及び図１７Ｂは本発明の他の一実施形態による患者の自力排便を可能にする多機能介護ベッドを示す概略図である。床板部材２０の第二板体２２には角度が調整可能なＵ字フレーム１４０が装設され、Ｕ字フレーム１４０にはスクリーン１５０が設置され、テレビの鑑賞やパソコンへの接続に用いられ、遠隔からの鑑賞や監視に使用される。
【００２５】
本発明は上述の構成により、使用上以下の効果を促進させ、説明を後述する。
一、本発明は常態では、蓋７１は２枚の左側板７１Ｌ及び右側板７１Ｒが互いに合わされており、排便装置４０が第一板体２１の下に隠されることで、衛生的であるのみならず、臭いが放出されなくなる（図１参照）。さらに、２枚の左側板７１Ｌ及び右側板７１Ｒの凹部７１２にはおむつ（図示せず）が設置され、本発明は平常では、一般的な介護ベッドと同じになり、不快に感じる部分はない。且つ、図１Ａ及び図２に示すように、床板部材２０には複数の通気孔２４が設けられ、ファン２６により空気が通気孔２４に送風された後、敷き布団２５内に導入され、患者がベッドで寝ているさいに熱くなり過ぎないようにする。
二、患者が排尿及び排便をするさいには、蓋７１が開かれるが、蓋７１が開かれるさいに患者の臀部を挟まないようになる。本発明の重要な特徴は、図７及び図８に示すように、第一支持機構３０Ａ及び第二支持機構３０Ｂが起動され、床板部材２０が上に変移されると、遮蔽装置７０の圧迫力が解除され、ばね７５の弾力によりガイド棒７４が起立され、さらに２本の前端スライドバー７２、後端スライドバー７３及びその上の蓋７１が上昇され、このさい、蓋７１が床板部材２０の下方と排便装置４０との間の空間（Ｓ）に位置する。２つの駆動キット８０の第二モーター８１及び第三モーター８２により第一スクリュー８１１及び第二スクリュー８２１が駆動されて回転されると、２枚の左側板７１Ｌ及び右側板７１Ｒが連動されて同調して２本の前端スライドバー７２及び後端スライドバー７３上で互いに反対方向に開かれる。次に、蓋７１が開かれた後、床板部材２０が下降されて原位置まで戻され、同時に遮蔽装置７０が圧迫されて沈下され、最後に排便装置４０のクッション４２が、図１０に示すように、第一穴部２１１及び第二穴部２５１の下方に位置する。また、図９に示すように、尿飛散防止装置６０の放尿遮蔽カバー６２が起立され、患者に使用される状態になる。
三、患者の排泄物（Ｅ）が排泄物受け皿４１に落下すると、シーソー体４４の板体４４１が重さによりシーソー体の平衡状態が改変されて、偏回転されて傾斜され、これにより排泄物（Ｅ）が縮径部４３から容器４５に落下する。続いて、洗浄機構５０の第一パイプ５１が排便装置４０に対して洗浄を行う。また、第二パイプ５５により使用者の臀部の洗浄が行われ、送風管５８及びドライヤー５９により使用者の臀部の乾燥が行われ、清潔及び衛生に保つ効果を達成させる。  
【００２６】
以上のことから、上述した技術的特徴により、本発明は長期間病床に附している患者や中風の患者に対して設計され、患者の尊厳を守りながら身体を清潔にする利便性を提供し、人の助けが無くとも、患者が自力で排泄を行えるようにする効果を有する。また、家族にとっても患者を移動させて身体の洗浄を行うのが容易になり、患者の環境及び衛生面も向上する。
【００２７】
以上、本発明の実施形態について図面を参照して詳述したが、具体的な構成はこの実施形態に限られるものではなく、本発明の要旨を逸脱しない範囲の設計変更等も含まれる。
【符号の説明】
【００２８】
１０  ベッド本体
１１  フットボード
１２  ヘッドボード
１３  メインフレーム
１３０  ハンモック
１４０  Ｕ字フレーム
１５０  スクリーン
２０  床板部材
２１  第一板体
２１１  第一穴部
２２  第二板体
２３  枢接端
２４  通気孔
２５  敷き布団
２５１  第二穴部
２６  ファン
３０Ａ  第一支持機構
３０Ｂ  第二支持機構
３１  昇降棒
３１１  第一棒体
３１２  第二棒体
３２  第一横棒
３３  第一縦方向ナット
３４  第三スクリュー
３５  第四モーター
３６  支持棒
３７  第二横棒
３８  第二縦方向ナット
３９  第四スクリュー
３９１  第五モーター
４０  排便装置
４１  排泄物受け皿
４２  クッション
４３  縮径部
４４  シーソー体
４４１  板体
４４２  ピボット軸
４４３  おもり
４５  容器
５０  洗浄機構
５１  第一パイプ
５２  第一ポンプ
５３  第一抽出管
５４  タンク
５５  第二パイプ
５６  第二ポンプ
５７  第二抽出管
５８  送風管
５９  ドライヤー
６０  尿飛散防止装置
６１  ガイド溝
６２  放尿遮蔽カバー
６３  ラック
６４  第一モーター
６５  歯車
７０  遮蔽装置
７１  蓋
７１Ｌ  左側板
７１Ｒ  右側板
７１１  キット
７１２  凹部
７２  前端スライドバー
７３  後端スライドバー
７４  ガイド棒
７５  ばね
８０  駆動キット
８１  第二モーター
８２  第三モーター
８１１  第一スクリュー
８２１  第二スクリュー
８１２  第一ナット
８２２  第二ナット
９０  制御装置
１００  ヒーター
１０１  機器本体
１０２  第三パイプ
１０３  第三ポンプ
１０４  第三抽出管
１０５  シャワーヘッド
１１０  浴槽
１１１  第三穴部
１２０  シャワーフレーム
１２１  シャワーカーテン
【図１】
2017144032.tif 000003
【図１Ａ】
2017144032.tif 000004
【図２】
2017144032.tif 000005
【図３】
2017144032.tif 000006
【図３Ａ】
2017144032.tif 000007
【図４】
2017144032.tif 000008
【図５】
2017144032.tif 000009
【図６】
2017144032.tif 000010
【図７】
2017144032.tif 000011
【図８】
2017144032.tif 000012
【図９】
2017144032.tif 000013
【図１０】
2017144032.tif 000014
【図１１】
2017144032.tif 000015
【図１１Ａ】
2017144032.tif 000016
【図１２】
2017144032.tif 000017
【図１３】
2017144032.tif 000018
【図１４】
2017144032.tif 000019
【図１５】
2017144032.tif 000020
【図１６Ａ】
2017144032.tif 000021
【図１６Ｂ】
2017144032.tif 000022
【図１７Ａ】
2017144032.tif 000023
【図１７Ｂ】
2017144032.tif 000024